(57)【特許請求の範囲】
【請求項１】
幅方向端縁に裏側へ折り曲げて係合片が形成されてなる鋼板パネルと、裏側の幅方向端縁に補強フレームが縦設されてなるタイルパネルを、平面視面一状に接合する接合方法であって、
前記タイルパネルの補強フレームに傾斜状に折り曲げた先端曲片を有するバックアップ材と連結フレームを固設した後、該タイルパネルを防水パン上に建て付け、その後、室内側から前記連結フレームに鋼板パネルの係合片を嵌め込み、タイルパネル端縁とバックアップ材の先端曲片と鋼板パネル端縁の間に形成された隙間に室内側からシリコンを充填する
ことを特徴とする鋼板パネルとタイルパネルの平面接合方法。
【請求項２】
前記連結フレームは、タイルパネルの補強フレームに固定する固定片と、該固定片から鋼板パネルの方向へ延びる延出片と、該延出片からタイルパネルの表側に向かって斜めに延びる傾斜片と、鋼板パネルの裏面に当接する裏当片で構成されている
ことを特徴とする請求項１に記載のタイルパネルの平面接合方法。
【発明の詳細な説明】
【技術分野】
【０００１】
本発明は、鋼板製の鋼板パネルと、タイルが表面に貼着されてなるタイルパネルとを、平面で面一状に接合する接合方法に関するものである。
【背景技術】
【０００２】
従来、種類の異なる壁面パネルを連結する壁面パネルの連結構造として、例えば特許文献１に開示されているような構造が存在し、特許文献１の構造では、先に、鋼板パネルの裏側にパネル取付基材と支持具を取り付けておき、その状態で、裏側に補強フレームを有するボードパネルを平面視面一状に配置させて、鋼板パネル側に取り付けたパネル取付基材および支持具に対してボードパネルの裏側の補強フレームを当接させ、鋼板パネル側の支持具とボードパネル側の補強フレームをボルトで連結するものである。
【特許文献１】特開２００６−２９９７７５号公報
【発明の開示】
【発明が解決しようとする課題】
【０００３】
上記従来の鋼板パネルとボードパネルの連結構造では、裏側でボルトを締め付けて連結する構造であるため、裏側に作業スペースが必要となり、例えば浴室のリフォームを行う現場等では、裏側に躯体との隙間が確保できない場合が多く、鋼板パネルとボードパネルの裏側に作業スペースがなく、連結作業ができない場合が生ずるという問題点があった。
【課題を解決するための手段】
【０００４】
本発明は、裏側にスペースが存在しない場合でも、室内側から良好に接合できる鋼板パネルとタイルパネルの平面接合方法を提供することを目的の１つとし、この目的の少なくとも一部を達成するために以下の手段を採った。
本発明は、幅方向端縁に裏側へ折り曲げて係合片が形成されてなる鋼板パネルと、裏側の幅方向端縁に補強フレームが縦設されてなるタイルパネルを、平面視面一状に接合する接合方法であって、
前記タイルパネルの補強フレームに傾斜状に折り曲げた先端曲片を有するバックアップ材と連結フレームを固設した後、該タイルパネルを防水パン上に建て付け、その後、室内側から前記連結フレームに鋼板パネルの係合片を嵌め込み、タイルパネル端縁とバックアップ材の先端曲片と鋼板パネル端縁の間に形成された隙間に室内側からシリコンを充填することを要旨とする。
【発明の効果】
【０００５】
室内側から鋼板パネルをタイルパネルに接合させることができるため、裏側に作業スペースが存在しない現場においても鋼板パネルとタイルパネルを良好に平面で接合して、浴室等を形成させることができるものとなる。また、接合状態で、隙間内に室内側からシリコンを充填させて、両パネルの接合部分をシリコンで良好にシールすることができる。
【０００６】
また、上記鋼板パネルとタイルパネルの平面接合方法において、前記連結フレームは、タイルパネルの補強フレームに固定する固定片と、該固定片から鋼板パネルの方向へ延びる延出片と、該延出片からタイルパネルの表側に向かって斜めに延びる傾斜片と、鋼板パネルの裏面に当接する裏当片で構成されている構造とすることもできる。
こうすれば、連結フレームの固定片をタイルパネルの補強フレームに固定すれば、容易に連結フレームをタイルパネルに取り付けでき、この状態でタイルパネルを防水パン上に建て付けて、室内側から鋼板パネルの係合片をタイルパネルの端縁と連結フレーム間に押し込んで、鋼板パネルの係合片を連結フレームの傾斜片に係合させることができ、この状態で連結フレームの裏当片が鋼板パネルに当接して、鋼板パネルとタイルパネルが平面視面一状に接合されるものとなり、接合作業は室内側から鋼板パネルを連結フレームに押し込むだけの作業であり、室内側から容易に作業を行うことができるものとなる。
【発明を実施するための最良の形態】
【０００７】
次に、本発明を実施するための最良の形態を実施例を用いて説明する。
図１は、浴室内の構成図であり、浴室１は、洗い場２ａを形成する洗い場防水パン２と、浴槽４を載置する浴槽防水パン３が一体成形で構成されており、洗い場防水パン２および浴槽防水パン３の外周側には、複数枚の壁を構成するパネルが建て付けられており、本例の浴室では洗い場２ａ側に、表面にタイルを貼着したタイルパネル６が建て付けられ、このタイルパネル６の左右両側には、鋼板パネル５，５が連結接合されて壁面が形成されている。なお、タイルパネル６の表面には、水栓７とその上方に鏡８が取り付けられている。
【０００８】
この浴室１の壁面を構成するタイルパネル６と鋼板パネル５の接合部分を拡大した平面断面構成図を図２に示す。
鋼板パネル５は、鋼板製の表面鋼板５ａの幅方向両端縁に裏側へ９０度折り曲げて端縁片５ｂが形成され、この端縁片５ｂの後端で、前側へ向かって約４５度に曲げて係合片５ｃが形成されている。また、表面鋼板５ａの裏側には、裏ボード材Ｂが張り付けられて、鋼板パネル５が構成されている。
一方、タイルパネル６は、下地材６ａの表面に多数のタイル６ｂが貼着されており、下地材６ａの裏側の幅方向左右端縁には縦方向に補強フレーム６ｃが配置されており、また下地材６ａの下端側には横方向に下端フレーム６ｄが、上端側には横方向に上端フレーム６ｅが配置されている。なお、補強フレーム６ｃは、１６角の角パイプで構成されたものである。
【０００９】
このような鋼板パネル５とタイルパネル６を平面視面一状に接合するために、樹脂製のバックアップ材９と、金属製の連結フレーム１０が用いられている。
バックアップ材９および連結フレーム１０は、ネジ１１で予めタイルパネル６の補強フレーム６ｃに取り付けられて、タイルパネル６の幅方向端縁に連結フレーム１０が配置されるものであり、このバックアップ材９と連結フレーム１０が取り付けられた状態で、タイルパネル６が洗い場防水パン２上に立設状に建て付けられ、タイルパネル６が建て付けられた状態で、室内側から鋼板パネル５の幅方向端縁の係合片５ｃが連結フレーム１０に嵌め込まれて、タイルパネル６と鋼板パネル５が面一状に接合されるものである。
【００１０】
なお、図３には、タイルパネル６の補強フレーム６ｃにバックアップ材９を取り付ける前の斜視図を示し、図４では、バックアップ材９に対し更に連結フレーム１０を取り付ける状態の斜視図を示している。
バックアップ材９は、補強フレーム６ｃの裏面に当接される角合せ片９ａの図２における右端に、浴室の室内側に向かって９０度折り曲げて隙間形成片９ｂが一体形成され、隙間形成片９ｂの室内側先端には、タイルパネル６のタイル６ｂの端縁側に当接する傾斜状に折り曲げた先端曲片９ｃが一体形成されている。
このバックアップ材９は、裏側に両面テープを貼着しておき、その両面テープのシールを剥がして補強フレーム６ｃに貼り付け固定されるものであり、補強フレーム６ｃの裏側に角合せ片９ａを当接させ、また補強フレーム６ｃの側面に隙間形成片９ｂを当接させて、補強フレーム６ｃに角合せさせて貼着固定することができ、貼着固定した状態では、タイルパネル６のタイル６ｂの端縁側に先端曲片９ｃが当接するものである。
【００１１】
この先端曲片９ｃとタイルパネル６のタイル６ｂの表面間には隙間があり、さらに、バックアップ材９の先端曲片９ｃと隙間形成片９ｂの厚み分の幅方向のシリコン用隙間Ｓが形成されるように構成されている。即ち、バックアップ材９はシリコンを室内側から注入するためのシリコン用隙間Ｓを作るために、補強フレーム６ｃに取り付けられるものである。
なお、バックアップ材９は、図３に示すように、その角合せ片９ａの下端に、切欠いた切欠き部９ｄが形成されており、この切欠き部９ｄが、補強フレーム６ｃの下端に予め取り付けられる下金具１２の上方に配置されて、下端フレーム６ｄに対してバックアップ材９の下端を合わせた状態で、バックアップ材９が補強フレーム６ｃに取り付けられるものである。
【００１２】
次に、この取り付けられたバックアップ材９の外側に重ね合わせ状に取り付けられる連結フレーム１０は、バックアップ材９の角合せ片９ａの裏側に重ね合わせて角合せして配置される角合せ片１０ａと、角合せ片１０ａから室内側へ９０度折り曲げられて延びる固定片１０ｂと、この固定片１０ｂの先端側で鋼板パネル５側へ略９０度折り曲げられて延びる延出片１０ｃと、延出片１０ｃの外端側からタイルパネル６の表側のタイル６ｂ方向へ向かって斜めに延びる傾斜片１０ｄと、傾斜片１０ｄの前端で鋼板パネル５側へ向かって折り曲げられた裏当片１０ｅで構成されており、この連結フレーム１０は、補強フレーム６ｃの上端側に固定される上金具１３と下端側に固定される下金具１２間に至る上下に長い寸法に形成されたものである。
【００１３】
この連結フレーム１０は、固定片１０ｂに形成されているビス孔１０ｆに側面側からネジ１１を入れて、ネジ１１を補強フレーム６ｃに締め付け、これにより補強フレーム６ｃの側面、即ちタイルパネル６の幅方向端縁にバックアップ材９を介在させて連結フレーム１０が固定されるものである。
連結フレーム１０の固定片１０ｂがバックアップ材９の隙間形成片９ｂに重ね合わされてネジ１１で固定されると、バックアップ材９の隙間形成材９ｂから鋼板パネル５側へ延びて連結フレーム１０の延出片１０ｃが配置され、連結フレーム１０の傾斜片１０ｄの前端とバックアップ材９の隙間形成片９ｂ間には幅方向に隙間が形成されるため、この隙間内に室内側から鋼板パネル５の端縁片５ｂおよび係合片５ｃを押し込んでゆくことができ、この時、連結フレーム１０の傾斜片１０ｄは外側へ弾性変形して、鋼板パネル５の係合片５ｃが隙間を通り抜けて、連結フレーム１０の傾斜片１０ｄの裏側に配置され、連結フレーム１０の傾斜片１０ｄの裏側に係合片５ｃの前端が略９０度の角度で食い込み状態に係合されて、連結フレーム１０の傾斜片１０ｄに強固に鋼板パネル５の係合片５ｃが係合して、室内側への抜け止めがなされる。
【００１４】
従って、室内側から鋼板パネル５の端縁片５ｂおよび係合片５ｃを、連結フレーム１０とバックアップ材９の隙間内に押し込む、或いはたたき込む等すれば、良好に傾斜片１０ｄを弾性変形させて、鋼板パネル５の係合片５ｃを連結フレーム１０の傾斜片１０ｄに係合させることができ、この係合状態では、連結フレーム１０の裏当片１０ｅが鋼板パネル５の表面鋼板５ａの裏側に当接状態で重ね合わされることとなり、この状態で鋼板パネル５の表面鋼板５ａとタイルパネル６のタイル６ｂの表面が平面視略面一状になるように設定されている。
この接合状態で、鋼板パネル５の端縁片５ｂとタイルパネル６のタイル６ｂの端縁間には、シリコン用隙間Ｓがバックアップ材９により形成されているため、このシリコン用隙間Ｓ内に室内側からシリコンを充填させて、両パネルの接合部分をシリコンで良好にシールすることができる。
【００１５】
このように、タイルパネル６に対し室内側から鋼板パネル５を嵌め込んで、タイルパネル６と鋼板パネル５を良好に接合することができ、接合作業を室内側から行えるため、タイルパネル６および鋼板パネル５の裏側と躯体との隙間が僅かな現場においても、良好にタイルパネル６と鋼板パネル５を連結させて浴室１を良好に構築してゆくことができるものとなる。
【００１６】
なお、タイルパネル６の補強フレーム６ｃには、先ず、その上端に上金具１３がネジ１１，１１で取り付け固定され、また、タイルパネル６の補強フレーム６ｃの下端に下金具１２がネジ１１，１１で取り付け固定され、その後に、バックアップ材９と連結フレーム１０がネジ１１で補強フレーム６ｃに取り付け固定されるものであり、その状態でタイルパネル６は図５に示すように、洗い場防水パン２の周縁に形成されている壁載置面２ｂ上に建て付けられ、図８に示すように、コーナーフレーム１７，１７間に取り付けられた天井つなぎ材１５に、補強フレーム６ｃの上端に固定された上金具１３を介して補強フレーム６ｃの上端が固定されるものであり、また、補強フレーム６ｃの下端側は下金具１２を介して洗い場防水パン２に位置決め固定されるものである。
【００１７】
なお、下金具１２は、図３および図５に示すように、補強フレーム６ｃの裏面に当接されてネジ１１，１１で固定される固定片１２ａと、固定片１２ａの下端から下方へ垂設された垂下片１２ｂと、垂下片１２ｂの下端で外側へ傾斜したガイド片１２ｃで構成されており、タイルパネル６を洗い場防水パン２の壁載置面２ｂ上に立設させた状態では、タイルパネル６の裏側下端に設けられている下端フレーム６ｄの裏端に立ち上がる立上片６ｆと、下金具１２の垂下片１２ｂ間に、洗い場防水パン２の水切り片２ｃが立ち上がり、この水切り片２ｃを、下金具１２と下端フレーム６ｄ間に挟み込んだ状態で、タイルパネル６が位置決め固定されるものである。
また、上金具１３は、補強フレーム６ｃの上端裏側に当接されてネジ１１，１１で固定される固定片１３ａと、固定片１３ａの上端で室内側へ水平に折り曲げられた水平片１３ｂと、水平片１３ｂの内端から上方へ垂直に立ち上げられた立上片１３ｃで構成されており、図６には、図５のＡ方向矢視図を示すが、上金具１３は補強フレーム６ｃよりも横幅が広く形成されており、ネジ１１で補強フレーム６ｃの裏側に上金具１３が固定された状態では、上金具１３の幅方向端縁は、補強フレーム６ｃよりも外側へ配置されることとなる。
【００１８】
なお、天井つなぎ材１５には、補強フレーム６ｃの端縁を位置決めするための位置決めマーク１５ａが形成されている。また、上金具１３の立上片１３ｃの外側部位に横長状の長孔１３ｄが形成されており、この長孔１３ｄ内に室内側からビス１４を差し込んで、ビス１４を天井つなぎ材１５に締め付けて、補強フレーム６ｃの上端を天井つなぎ材１５に連結することができるものである。即ち、室内側からビス１４を締め付ける際には、まだ鋼板パネル５は取り付けられていない状態であるため、良好に室内側からビス１４を上金具１３の長孔１３ｄ内に差し込んで、天井つなぎ材１５に締め付けることができるものである。
【００１９】
このようにして、タイルパネル６の下端を下金具１２を介して洗い場防水パン２の壁載置面２ｂ上に固定し、上金具１３を介してタイルパネル６の上端を天井つなぎ材１５に連結して、良好にタイルパネル６を建て付け固定することができ、このタイルパネル６を建て付けた後に、室内側から前述した如く鋼板パネル５の係合片５ｃを連結フレーム１０の傾斜片１０ｄに嵌め込んで、タイルパネル６に鋼板パネル５を室内側から接合することができるものである。この接合状態の上金具１３を含む平面拡大構成図を図７に示す。
【００２０】
このように本例では、タイルパネル６の裏側の補強フレーム６ｃに対し、その補強フレーム６ｃの上端に上金具１３を固定させ、更に補強フレーム６ｃの下端に下金具１２を固定させ、更に補強フレーム６ｃの上金具１３と下金具１２間にバックアップ材９を取り付け、更にバックアップ材９の外側にネジで連結フレーム１０を補強フレーム６ｃに固定させておき、この状態でタイルパネル６を洗い場防水パン２の壁載置面２ｂ上に下金具１２で位置決め固定して立設させ、上金具１３にビス１４を通して天井つなぎ材１５に連結して、タイルパネル６の下端は洗い場防水パン２に、上端は天井パネル１６の天井つなぎ材１５に連結して、タイルパネル６を建て付けておき、その後に室内側から鋼板パネル５の端縁を連結フレーム１０に嵌め込み状に接合させることができ、裏側にスペースが存在しない場合でも全ての作業を室内側から良好に行うことができるものであり、良好にタイルパネル６に鋼板パネル５を接合して浴室を構築できるものである。
【図面の簡単な説明】
【００２１】
【図１】浴室内の正面構成図である。
【図２】浴室の壁面を構成するタイルパネルと鋼板パネルの接合状態を示す平面拡大断面構成図である。
【図３】タイルパネルの裏側の補強フレームにバックアップ材を取り付ける前の分解斜視図である。
【図４】バックアップ材に重ね合わせて更に連結フレームを取り付ける状態の斜視構成図である。
【図５】上金具と下金具およびバックアップ材および連結フレームを取り付けたタイルパネルを、防水パンと天井パネル間に建て付けた状態の縦断面構成図である。
【図６】上金具の部分を拡大して示す図５のＡ方向矢視図である。
【図７】上金具および天井つなぎ材を含む接合部分の平面拡大構成図である。
【図８】天井つなぎ材の取り付け構造を示す斜視構成図である。
【符号の説明】
【００２２】
１  浴室
２  洗い場防水パン
２ａ  洗い場
２ｂ  壁載置面
２ｃ  水切り片
３  浴槽防水パン
４  浴槽
５  鋼板パネル
５ａ  表面鋼板
５ｂ  端縁片
５ｃ  係合片
６  タイルパネル
６ａ  下地
６ｂ  タイル
６ｃ  補強フレーム
６ｄ  下端フレーム
６ｅ  上端フレーム
９  バックアップ材
９ａ  角合せ片
９ｂ  隙間形成片
９ｃ  先端曲片
１０  連結フレーム
１０ａ  角合せ片
１０ｂ  固定片
１０ｃ  延出片
１０ｄ  傾斜片
１０ｅ  裏当片
１１  ネジ
１２  下金具
１２ａ  固定片
１２ｂ  垂下片
１２ｃ  ガイド片
１３  上金具
１３ａ  固定片
１３ｂ  水平片
１３ｃ  立上片
１３ｄ  長孔
１４  ビス
１５  天井つなぎ材
１５ａ  位置決めマーク
１６  天井パネル
Ｂ  裏ボード材
【図１】
0005317457.tif 000002
【図２】
0005317457.tif 000003
【図３】
0005317457.tif 000004
【図４】
0005317457.tif 000005
【図５】
0005317457.tif 000006
【図６】
0005317457.tif 000007
【図７】
0005317457.tif 000008
【図８】
0005317457.tif 000009